(57)【特許請求の範囲】
【請求項１】
移動可能に構成された支持体と、
この支持体に立設された中空状の固定支柱と、
シリンダ部、このシリンダ部に突没可能に設けられたロッド部及びこのロッド部の先端に設けられその操作によって上記ロッド部のロック状態を解除して突没可能とする作動部とを有し、上記ロッド部を上側にして上記固定支柱内に移動可能に収容されたガススプリングと、
上記固定支柱にスライド可能に外嵌された中空状の可動支柱と、
この可動支柱の上端に取付けられるとともに上記ガススプリングのロッド部の先端が連結されこのロッド部がロック状態のときに下方から押し上げられると上記可動支柱及び上記ガススプリングと一体的に上記固定支柱に沿って上昇するテーブル板と、
このテーブル板に設けられその操作によって上記作動部を押圧し上記ガススプリングのロッド部のロック状態を解除して上記テーブル板を上下動可能とする操作部と
を具備したことを特徴とするベッド用テーブル装置。
【請求項２】
上記ガススプリングのシリンダ部の下端部には、上記固定支柱の内面に摺接するスライダが取付けられていることを特徴とする請求項１記載のベッド用テーブル装置。
【請求項３】
上記固定支柱の上端には上部ストッパが設けられ、上記可動支柱の下端部には可動支柱を固定支柱に沿って上昇させたときに上記上部ストッパと当接して上記可動支柱が上記固定支柱から抜出するのを阻止する下部ストッパが設けられていることを特徴とする請求項１又は請求項２記載のベッド用テーブル装置。
【発明の詳細な説明】
【０００１】
【発明の属する技術分野】
この発明はベッドの利用者が食事用テーブルや小物置などとして利用するベッド用テーブル装置に関する。
【０００２】
【従来の技術】
従来より、ベッドの利用者が上述した用途などに利用するベッド用テーブル装置が知られている。この種のテーブル装置はキャスタによって移動可能な支持体を有し、この支持体には固定支柱が設けられ、この固定支柱には可動支柱が設けられている。この可動支柱にはテーブル板が取付けられている。
【０００３】
上記固定支柱にはガススプリングが収容され、そのシリンダ部は固定支柱に固定されている。上記ガススプリングのロッド部は上記テーブル板に連結固定されている。したがって、上記ガススプリングのロッド部のロック状態を解除すること、上記ロッド部によって上記テーブル板の高さを、利用者が使い易い高さに調整できるようになっている。
【０００４】
一方、病院などでは、利用者の昇降を容易にしたり、医師が診察し易いようにするためなどに高さ調整可能なベッドが用いられることが多い。上記テーブル装置は使用時には上記支持体をベッドの側方から下面側に挿入する。それによって、上記テーブル板はベッドの上方に幅方向に沿って所定の高さで保持されるから、ベッド上の利用者が利用することが可能となる。
【０００５】
上記テーブル装置を高さ調整可能なベッドで利用すると、テーブル板がベッドの上方にある状態でベッドを高くしてしまうことがある。その場合、テーブル板の下面にベッドのフットボードや側柵などが当たり、ベッドやテーブル装置が損傷するということがある。
【０００６】
そこで、天板がベッドの上方にあるときに、ベッドを上昇させて天板が押圧されると、ガススプリングのロック状態を解除し、上記天板をガススプリングによって上昇させてベッドやテーブル装置が損傷するのを防止する構造が特開平９−２５２８５０号公報によって提案されている。
【０００７】
上記公報に示されたベッドサイドテーブルは、台車に基部支柱が立設され、この基部支柱には可動支柱がスライド可能に設けられている。上記基部支柱にはガススプリングのシリンダ部が固定されて収容され、このガススプリングのロッド部の先端は可動支柱の上端に連結固定されている。
【０００８】
上記可動支柱の上端部にはブラケットが回動軸によって揺動可能に設けられ、このブラケットにテーブル板（甲板）が取付けられている。このテーブル板には操作レバーが枢着されている。操作レバーの一端は上記ロッド部の先端に設けられた操作軸に対向している。操作レバーを回動させて上記操作軸を押圧すれば、ロッド部のロック状態が解除されるから、テーブル板を上下動させることが可能となっている。
【０００９】
ベッドの上方にテーブル板がある状態でベッドが上昇し、テーブル板がベッドによって押圧されると、テーブル板が回動軸を支点として回動する。上記操作軸はテーブル板を回動可能に支持した回動軸からずれているため、テーブル板が回動すると、操作レバーと操作軸とが接近し、操作レバーによって操作軸が押し込まれる。それによって、ガススプリングのロック状態が解除されるから、テーブル板が可動支柱とともに上昇し、テーブルやベッドが損傷するのが防止されることになる。
【００１０】
【発明が解決しようとする課題】
しかしながら、上記構成によると、テーブル板を可動支柱に対してブラケット及び回動軸を用いて揺動可能に連結しなければならない。そのため、ブラケットや回動軸などの部品が必要となるため、部品点数の増大や構成の複雑化によるコスト上昇を招くということがあった。
【００１１】
可動支柱にテーブル板を揺動可能に取付けると、使用中にテーブル板ががた付くことになる。そこで、使用中におけるテーブル板のがた付きを防止するため、上記ブラケットを上記可動支柱に対してクッション部材により弾性的に保持し、テーブル板が下方から押圧されたときに上記クッション部材を弾性変形させてテーブル板を揺動させるようにしている。そのため、がたつき防止のためにクッション部材が必要となるから、そのことによっても、部品点数の増大や構成の複雑化を招くということがある。
【００１２】
この発明は、テーブル板を可動支柱に固定して設けても、このテーブル板が下方から押し上げられたときに、上昇させることができるようにしたベッド用テーブル装置を提供することにある。
【００１３】
【課題を解決するための手段】
請求項１の発明は、移動可能に構成された支持体と、
この支持体に立設された中空状の固定支柱と、
シリンダ部、このシリンダ部に突没可能に設けられたロッド部及びこのロッド部の先端に設けられその操作によって上記ロッド部のロック状態を解除して突没可能とする作動部とを有し、上記ロッド部を上側にして上記固定支柱内に移動可能に収容されたガススプリングと、
上記固定支柱にスライド可能に外嵌された中空状の可動支柱と、
この可動支柱の上端に取付けられるとともに上記ガススプリングのロッド部の先端が連結されこのロッド部がロック状態のときに下方から押し上げられると上記可動支柱及び上記ガススプリングと一体的に上記固定支柱に沿って上昇するテーブル板と、
このテーブル板に設けられその操作によって上記作動部を押圧し上記ガススプリングのロッド部のロック状態を解除して上記テーブル板を上下動可能とする操作部と
を具備したことを特徴とするベッド用テーブル装置にある。
【００１４】
請求項２の発明は、上記ガススプリングのシリンダ部の下端部には、上記固定支柱の内面に摺接するスライダが取付けられていることを特徴とする請求項１記載のベッド用テーブル装置にある。
【００１５】
請求項３の発明は、上記固定支柱の上端には上部ストッパが設けられ、上記可動支柱の下端部には可動支柱を固定支柱に沿って上昇させたときに上記上部ストッパと当接して上記可動支柱が上記固定支柱から抜出するのを阻止する下部ストッパが設けられていることを特徴とする請求項１又は請求項２記載のベッド用テーブル装置にある。
【００１６】
この発明によれば、ガススプリングがロックされた状態で、テーブル板が下方から押し上げ力を受けると、その押上げ力によってテーブル板は可動支柱及びガススプリングとともに上昇するから、テーブル板などが損傷するのが防止される。
【００１７】
【発明の実施の形態】
以下、図面を参照しながらこの発明の一実施の形態を説明する。
【００１８】
図１はこの発明のテーブル装置１を示す斜視図であって、このテーブル装置１は支持体２を有する。この支持体２は連結部材３の両端にそれぞれ脚部材４を平行に連結し、各脚部材４の両端にそれぞれストッパ付きのキャスタ５を取付けて走行可能に構成されている。
【００１９】
上記支持体２の一端部には扁平状の角パイプからなる固定支柱６が立設されている。すなわち、図２（ａ）に示すように、支持体２の一端部の上面には、上記固定支柱６の断面積よりも大きな矩形状のベース板７が固着され、上記固定支柱６の下端には四角錐状のカバー部材８の上端が固着されている。そして、このカバー部材８の下端が上記ベース部材７に固着されることで、固定支柱６が支持体２に立設固定されている。
【００２０】
上記固定支柱６には、この固定支柱６よりも断面積の大きな可動支柱１１が外嵌されている。この可動支柱１１の下端部内には下部ストッパ１２が固定され、上記固定支柱６の上端には上部ストッパ１３が固定されている。
【００２１】
上記下部ストッパ１２と上部ストッパ１３は、可動支柱１１を固定支柱６に沿って上下動するとき、その上下動をガイドする。さらに、可動支柱１１を所定以上に上昇させると、下部ストッパ１２が上部ストッパ１３に当接し、可動支柱１１が固定支柱６から抜出するのを阻止するようになっている。
【００２２】
上記可動支柱１１の上端にはテーブル板１４が連結固定される。このテーブル板１４の下面には角筒状の受け部材１５が長手方向に沿って取付けられ、この受け部材１５の長手方向一端部に上記可動支柱１１の上端が連結固定されている。
上記固定支柱６内にはガススプリング１７が収容されている。このガススプリング１７はシリンダ１８部及びこのシリンダ部１８に突没可能に設けられたロッド部１９を有し、このロッド部１９の先端からは作動部としての作動軸２０が突出している。この作動軸２０がロッド部１９の先端から突出しているときにはロッド部１９が移動不能にロックされ、上記作動軸２０を押圧すると、上記ロッド部１９のロック状態が解除され、内蔵された高圧ガスの圧力によってロッド部１９がシリンダ部１８から突出する方向に付勢される。
【００２３】
上記ガススプリング１７はシリンダ部１８を下方にして上記固定支柱６に収容されている。シリンダ部１８の下端には図２（ａ）に示すようにコ字状の連結部材２２が固着されている。この連結部材２２には上記固定支柱６の内面に沿ってスライド可能なスライダ２３が連結軸２４によって着脱可能に連結されている。つまり、ガススプリング１７は、上記固定支柱６内に、この固定支柱６の高さ方向に沿って移動可能に収容されている。
【００２４】
上記ガススプリング１７のロッド部１９は、先端部を上記テーブル板１４の下面に設けられた受け部材１５の一端部に固着している。図３（ａ）に示すように、上記ロッド部１９に設けられた作動軸２０は上記受け部材１５の一端部内に突出させている。
【００２５】
上記受け部材１５の一端部は開口し、この開口端部内には操作部としての操作レバー２６が中途部を枢着して設けられている。この操作レバー２６の一端部は上記作動軸２０に対向し、他端部は上記受け部材１５の外部に突出している。そのため、操作レバー２６の他端部を図３（ｂ）に矢印で示す方向へ押し上げれば、その一端部によって作動軸２０が押圧されるから、ガススプリング１７のロッド部１９のロック状態を解除することができる。
【００２６】
このような構成のベッド用テーブル装置によれば、図３（ａ）に示すようにテーブル板１４が下降した状態において、操作レバー２６を回動させてガススプリング１７の作動軸２０を押圧すれば、このガススプリング１７のロッド部１９のロック状態が解除され、ガス圧によって突出方向に付勢される。したがって、テーブル板１４を図３（ａ）から同図（ｂ）に示すように上昇させることができる。
【００２７】
テーブル板１４が図３（ｂ）に示すように上昇した状態から下降させる場合には、操作レバー２６を操作して作動軸２０を押圧し、ロッド部１９のロック状態を解除したならば、その状態でテーブル板１４をガス圧に抗して押圧すれば、テーブル板１４を下降させることができる。
【００２８】
テーブル板１４を所定の高さまで下降させたならば、操作レバー２６の操作を解除し、ロッド部１９をロック状態に戻せば、テーブル板１４をその高さで保持することができる。
【００２９】
テーブル装置は、食事用のテーブルや小物類の置き場などとして、図４に示すように支持体２をベッド３１の側方から下面側に進入させ、テーブル板１４をベッド３１の上方に位置させて使用する。
【００３０】
上記ベッド３１は図示しない上下駆動機構によって高さ位置の調整可能な構成となっていて、テーブル板１４をベッド３１のフットボード３２の上方に位置させた状態で、フットボード３２を図４に実線で示す下降位置から鎖線で示す上昇位置に上昇させてしまうことがある。
【００３１】
テーブル板１４がベッド３１上において、図３（ａ）に示す高さ位置で使用されている状態でベッド３１が上昇すると、テーブル板１４の下面にフットボード３２の上端が当たり、テーブル板１４を押し上げる。テーブル板１４には固定支柱６にスライド可能に支持された可動支柱１１が取付けられている。この可動支柱１１には、上記固定支柱６に収容されたガススプリング１７のロッド部１９が連結されている。
【００３２】
上記ガススプリング１７は上記固定支柱６内に移動可能に収容され、この固定支柱６に対して連結されていない。そのため、テーブル板１４がベッド３１のフットボード３２によって押し上げられると、図４に示すようにこのテーブル板１４とともに可動支柱１１を介してガススプリング１７も上昇するから、ベッド３１やテーブル装置１応力によって損傷するのが防止される。
【００３３】
上記ガススプリング１７のシリンダ部１８には上記可動支柱１１の内面に沿ってスライドするスライダ２３が設けられている。そのため、図５に示すように、このスライダ２３によってガススプリング１７は固定支柱６内で円滑に上昇するから、ガススプリング１７とともにテーブル板１４も円滑に上昇させることが可能となる。
【００３４】
このように、この発明のテーブル装置１は、ガススプリング１７のロッド部１９をテーブル板１４に連結したが、上記ガススプリング１７のシリンダ部１８は固定支柱６内に単に挿入するだけとし、この固定支柱６に対して自由に上下動できるようにした。
【００３５】
そのため、ガススプリング１７のロック状態を解除していないときに、上記テーブル板１４がベッド３１のフットボード３２によって押し上げられても、テーブル板１４がガススプリング１７とともに上昇するから、ベッド３１やテーブル装置１を損傷させるような応力が発生するのを防止できる。
【００３６】
なお、ベッド３１に側柵が設けられている場合には、上記テーブル板１４が側柵によって押し上げられることもある。
【００３７】
上記ガススプリング１７は固定支柱６に対して上昇可能に収容するだけの構造である。そのため、従来のように上記テーブル板１４を可動支柱１１に揺動可能に設けずにすむから、部品点数を減少させ、コストの低減や構成の簡略化を図ることができる。
【００３８】
【発明の効果】
以上のようにこの発明によれば、ガススプリングがロックされた状態で、テーブル板が下方から押し上げ力を受けると、その押上げ力によってテーブル板は可動支柱及びガススプリングとともに上昇するから、テーブル板などが損傷するのを防止することができる。
【００３９】
しかも、テーブル板が下方から押し上げられたときに、ガススプリングを固定支柱に対して自由に上昇させる構造であるから、ガススプリングのロック状態を解除してテーブル板を上昇させる従来構造に比べて部品点数を少なくし、コストの低減や構成の簡略化を図ることができる。
【図面の簡単な説明】
【図１】この発明の一実施の形態に係るテーブル装置の斜視図。
【図２】（ａ）は固定支柱の下端部の断面図、（ｂ）は図２（ａ）のＡ−Ａ線に沿う断面図。
【図３】（ａ）はテーブル板を下降させた状態の正面図、（ｂ）は同じくテーブル板を上昇させた状態の正面図。
【図４】ベッドにテーブル装置を使用した状態の正面図。
【図５】ガススプリングが固定支柱内で上昇した状態を示す固定支柱の下端部の断面図。
【符号の説明】
２…支持体
６…固定支柱
１１…可動支柱
１４…テーブル板
１７…ガススプリング
１８…シリンダ部
１９…ロッド部
２６…操作レバー（操作部）
【図１】
0004001506.tif 000002
【図２】
0004001506.tif 000003
【図３】
0004001506.tif 000004
【図４】
0004001506.tif 000005
【図５】
0004001506.tif 000006